【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
広域ネットワークと通信している移動局の無線通信方法であって、
第１の無線ローカル  エリア  ネットワークとの第１の通信セッションを設定するために前記広域ネットワークに要求を送信することと、
前記要求に応答して前記広域ネットワークから１つ以上の無線ローカル  エリア  ネットワークについての認可情報を受信することと、
前記１つ以上の無線ローカル  エリア  ネットワークの中から第１の無線ローカル  エリア  ネットワークを選択することと、
前記広域ネットワークからの前記受信された認可情報を使用して前記選択された第１の無線ローカル  エリア  ネットワークとの前記第１の通信セッションを前記移動局によって設定することと、
前記第１の無線ローカル エリア ネットワークを介して前記設定された第１の通信セッションのデータ信号を受信することと、
前記設定された第１の通信セッションの少なくとも１つの動作パラメータの調節を開始するために前記移動局から前記広域ネットワークに制御信号を送信することと、および、
前記広域ネットワークを介して前記制御信号の受信確認に関するフィードバック情報を受信することとを含む無線通信方法。
【請求項２】
広域ネットワークを介して第２の通信セッションの音声信号を受信することをさらに含む請求項１記載の無線通信方法。
【請求項３】
第１の無線ローカル エリア ネットワークを介して第２の通信セッションの音声信号を受信することをさらに含む請求項１記載の無線通信方法。
【請求項４】
第１の無線ローカル エリア ネットワークを介して第１の通信セッションの第２の制御信号を受信することをさらに含む請求項１記載の無線通信方法。
【請求項５】
第２の無線ローカル エリア ネットワークを介して第２の通信セッションの音声信号を受信することをさらに含む請求項１記載の無線通信方法。
【請求項６】
広域ネットワークは、第１の無線ローカル エリア ネットワークから第２の無線ローカル エリア ネットワークへの移動局のハンドオフ動作を行う請求項５記載の無線通信方法。
【請求項７】
前記認可情報は、前記１つ以上の無線ローカル エリア ネットワークの各々についてのサービスセット識別子（ＳＳＩＤ）を含む請求項１記載の方法。
【請求項８】
前記１つ以上の無線ローカル エリア ネットワークは少なくとも２つの無線ローカル エリア ネットワークを具備する請求項１記載の方法。
【請求項９】
前記広域ネットワークから前記１つ以上の無線ローカル エリア ネットワークについての認可情報を受信することをさらに具備し、ここにおいて、前記認可情報は、ワイヤード  エクィバレント  プライバシー（ＷＥＰ）キーまたはＷｉ−Ｆｉ  プロテクテッド  アクセス（ＷＰＡ）Ｐｒｅ共有キーを含み、前記第１の無線ローカル エリア ネットワークとの前記第１の通信セッションを設定することは、前記広域ネットワークからの前記受信された認可情報をさらに使用する請求項１記載の方法。
【請求項１０】
移動局と通信している広域ネットワークの基地局の無線通信方法であって、
前記移動局と無線ローカル  エリア  ネットワークとの間の通信セッションを設定するために、前記広域ネットワークの前記基地局において、前記移動局から要求を受信することと、
前記要求に応答して１つ以上の無線ローカル  エリア  ネットワークについての認可情報を前記移動局に送信することと、
前記広域ネットワークの前記基地局において、選択された無線ローカル エリア ネットワークと前記移動局との間で設定された通信セッションの第１の制御信号を受信することと、
前記広域ネットワークの前記基地局から前記移動局に、前記第１の制御信号の受信確認に関するフィードバック情報を送信することとを含む無線通信方法。
【請求項１１】
第１の制御信号は、無線ローカル エリア ネットワークと移動局との間で送信電力を調節するのに使用される請求項１０記載の無線通信方法。
【請求項１２】
第１の制御信号は、無線ローカル エリア ネットワークと移動局との間で送信コードレートを調節するのに使用される請求項１０記載の無線通信方法。
【請求項１３】
第１の制御信号は、無線ローカル エリア ネットワークと移動局との間で送信帯域幅を調節するのに使用される請求項１０記載の無線通信方法。
【請求項１４】
無線ローカル エリア ネットワークと広域ネットワークの同時通信を行うことができる移動局であって、
無線ローカル  エリア  ネットワークとの通信セッションを設定するために前記広域ネットワークに要求を送信し、および、前記要求に応答して前記広域ネットワークから１つ以上の無線ローカル  エリア  ネットワークについての認可情報を受信するためのトランシーバ論理と、
前記１つ以上の無線ローカル  エリア  ネットワークの中から第１の無線ローカル  エリア  ネットワークを選択するように構成された選択論理と、ここにおいて、前記トランシーバ論理は、前記広域ネットワークからの前記受信された認可情報を使用して前記選択された第１の無線ローカル  エリア  ネットワークとの前記第１の通信セッションを設定するようにさらに構成され、を含み、
ここにおいて、前記トランシーバ論理は、前記設定された第１の通信セッションの少なくとも１つの動作パラメータの調節を開始するために前記広域ネットワークに制御信号を送信し、前記広域ネットワークを介して前記制御信号の受信確認に関するフィードバック情報を受信するようにさらに構成された、移動局。
【請求項１５】
シグナリングおよびパケット処理を行うように構成された処理デバイスと、
位置特定情報を与えるように構成されたＧＰＳデバイスとをさらに含む請求項１４記載の移動局。
【請求項１６】
制御信号は、無線ローカル エリア ネットワークと移動局との間で、帯域幅、コードレート、および電力レベルを含むグループから選択される動作パラメータを調節するのに使用される請求項１４記載の移動局。
【請求項１７】
無線ローカル エリア ネットワークと広域ネットワークの同時通信を行うことができる移動局であって、
無線ローカル  エリア  ネットワークとの通信セッションを設定するために前記広域ネットワークに要求を送信する第１の手段と、
前記要求に応答して前記広域ネットワークから１つ以上の無線ローカル  エリア  ネットワークについての認可情報を受信する第２の手段と、
前記１つ以上の無線ローカル  エリア  ネットワークの中から第１の無線ローカル  エリア  ネットワークを選択する第３の手段と、
前記広域ネットワークからの前記受信された認可情報を使用して前記選択された第１の無線ローカル  エリア  ネットワークとの前記第１の通信セッションを前記移動局によって設定する第４の手段と、
前記設定された第１の通信セッションの少なくとも１つの動作パラメータの調節を開始するために前記広域ネットワークに制御信号を送信する第５の手段と、
前記広域ネットワークを介して前記制御信号の受信確認に関するフィードバック情報を受信する第６の手段とを含む移動局。
【請求項１８】
シグナリングおよびパケット処理を行う第７の手段と、
位置特定情報を与える第８の手段とをさらに含む請求項１７記載の移動局。
【請求項１９】
前記制御信号は、前記第１の無線ローカル エリア ネットワークと前記移動局の間で、帯域幅、コードレート、および電力レベルを含むグループから選択される動作パラメータを調節するのに使用される請求項１７記載の移動局。
【請求項２０】
広域ネットワークと通信している移動局の１つ以上のプロセッサによって行われ得る命令を具現する機械読み出し可能媒体であって、
無線ローカル  エリア  ネットワークとの第１の通信セッションを設定するために前記広域ネットワークへの要求を生成する命令と、
前記要求に応答して前記広域ネットワークを介して受信された１つ以上の無線ローカル  エリア  ネットワークについての認可情報を処理する命令と、
前記１つ以上の無線ローカル  エリア  ネットワークの中から第１の無線ローカル  エリア  ネットワークを選択する命令と、
前記広域ネットワークを介して前記受信された認可情報を使用して前記選択された第１の無線ローカル  エリア  ネットワークとの前記第１の通信セッションを設定する命令と、
前記設定された第１の通信セッションの少なくとも１つの動作パラメータの調節を開始するために前記広域ネットワークに制御信号を送信する命令と、
前記広域ネットワークを介して前記制御信号の受信確認に関するフィードバック情報を受信する命令とを含む機械読み出し可能媒体。
【請求項２１】
広域ネットワークを介して受信された第２の通信セッションの音声信号を処理する命令をさらに含む請求項２０記載の機械読み出し可能媒体。
【請求項２２】
第１の無線ローカル エリア ネットワークを介して受信された第２の通信セッションの音声信号を処理する命令をさらに含む請求項２０記載の機械読み出し可能媒体。
【請求項２３】
第１の無線ローカル エリア ネットワークを介して受信された第１の通信セッションの第２の制御信号を処理する命令をさらに含む請求項２０記載の機械読み出し可能媒体。
【請求項２４】
第２の無線ローカル エリア ネットワークを介して受信された第２の通信セッションの音声信号を処理する命令をさらに含む請求項２０記載の機械読み出し可能媒体。
【請求項２５】
広域ネットワークは、第１の無線ローカル エリア ネットワークから第２の無線ローカル エリア ネットワークへの移動局のハンドオフ動作を行う請求項２４記載の機械読み出し可能媒体。